(57)【特許請求の範囲】
【請求項１】
保持面上に基板を保持して移動する移動手段から、前記基板を保持する保持部を有し前記基板を回収する回収手段まで、前記基板を搬送する基板搬送方法であって、
前記保持面上に基板を保持した前記移動手段を移動させている状態で前記基板の保持を解除する第１工程と、
前記移動手段を減速または停止させることによって前記移動手段による保持が解除された前記基板を前記保持面上で移動させる第２工程と、
前記保持面上を移動する前記基板の移動方向に沿って前記保持部を移動させる第３工程と、
前記基板の一部が前記保持面から飛び出した状態で前記保持部によって前記基板を保持させる第４工程と、
を有することを特徴とする基板搬送方法。
【請求項２】
前記第２工程において前記移動手段を減速または停止させることによって、前記基板を前記保持面上で滑らせて移動させることを特徴とする請求項１に記載の基板搬送方法。
【請求項３】
前記第３工程において前記移動方向に沿って前記移動手段と前記保持部とを移動させることを特徴とする請求項１または２に記載の基板搬送方法。
【請求項４】
前記第３工程において前記保持面上で移動している前記基板の速度を計測し、
前記第４工程において前記保持部と前記基板との速度が実質的に等しくなったときに、前記保持部によって前記基板を保持させることを特徴とする請求項１ないし３のいずれか１項に記載の基板搬送方法。
【請求項５】
前記第３工程において前記保持部を第１の速度で移動させ、
前記第４工程において前記保持部によって前記基板を保持させた後は前記保持部を前記第１の速度よりも大きい第２の速度で移動させることを特徴とする請求項１ないし４のいずれか１項に記載の基板搬送方法。
【請求項６】
前記第１工程において前記基板の保持を解除する際に、前記基板を浮上させることを特徴とする請求項１ないし５のいずれか１項に記載の基板搬送方法。
【請求項７】
保持面上に基板を保持して移動する移動手段と、前記基板を保持する保持部を有し前記基板を回収する回収手段と、前記移動手段および前記回収手段を制御する制御手段とを備え、前記移動手段から前記回収手段に前記基板を搬送する基板搬送装置であって、
前記保持面上に基板を保持した前記移動手段を移動させている状態で前記基板の保持を解除し、前記移動手段を減速または停止させることによって前記移動手段による保持が解除された前記基板を前記保持面上で移動させ、前記保持面上を移動する前記基板の移動方向に沿って前記保持部を移動させ、前記基板の一部が前記保持面から飛び出した状態で前記保持部によって前記基板を保持させることを特徴とする基板搬送装置。
【請求項８】
前記保持面上を移動する前記基板の速度を計測する計測手段を備え、
前記制御手段は、前記計測手段の計測結果に応じたタイミングで前記保持部による前記基板の保持を開始させる、
ことを特徴とする請求項７に記載の基板搬送装置。
【請求項９】
前記移動手段は、前記移動方向を規制する移動規制部材を有することを特徴とする請求項７または８に記載の基板搬送装置。
【請求項１０】
前記回収手段は、前記移動方向を規制する移動規制部材を有することを特徴とする請求項７または８に記載の基板搬送装置。
【請求項１１】
基板にパターンを形成するリソグラフィー装置であって、
請求項７ないし１０のいずれか１項に記載の基板搬送装置を用いることを特徴とするリソグラフィー装置。
【請求項１２】
請求項１１に記載のリソグラフィー装置を用いてパターンを基板に形成する工程と、
前記工程で前記パターンを形成された前記基板を処理する工程と、
を含み、処理された前記基板から物品を製造することを特徴とする物品の製造方法。
【発明の詳細な説明】
【技術分野】
【０００１】
本発明は、基板搬送方法および基板搬送装置、リソグラフィー装置、ならびに物品の製造方法に関する。
【背景技術】
【０００２】
半導体デバイスや液晶表示デバイスなどの製造工程に含まれるリソグラフィー工程において、リソグラフィー装置が用いられる。例えば、リソグラフィー装置としての露光装置は、原版（レチクルなど）に形成されているパターンを、投影光学系などを介して基板（表面にレジスト層が形成されたウエハやガラスプレートなど）に転写する。このような従来のリソグラフィー装置では、基板ステージ上のチャックに吸着保持されている基板に対するパターン形成処理が終了すると、基板ステージは、基板を回収する位置へ移動する。次に、チャックは、基板の保持状態を解除し、基板ステージに設けられているリフトピンが基板をチャックから持ち上げ、吸着保持する。次に、基板回収ハンドが基板の裏面とチャックの吸着面との隙間に侵入し、基板の裏面を吸着保持する。そして、基板回収ハンドが基板ステージから退避することで、最終的にチャック上から基板が回収される。しかしながら、この一連の基板回収動作では、基板回収ハンドの侵入から退避するまでの間、基板ステージは、次の動作に進むことができずに停止している。そこで、基板回収動作を高速化し、スループットを向上させるために、特許文献１は、基板回収の際、チャック上の基板を気体浮上させた後に滑らせて、基板回収ハンドへ基板を引き渡す基板搬送装置を開示している。
【先行技術文献】
【特許文献】
【０００３】
【特許文献１】特開２０１０−１２９８５６号公報
【発明の概要】
【発明が解決しようとする課題】
【０００４】
しかしながら、特許文献１に開示されている基板搬送装置では、滑っている基板を停止させるために、基板回収ハンド上に設けられた柵に基板を衝突させるので、衝撃によっては基板を破損させる可能性がある。
【０００５】
本発明は、このような状況に鑑みてなされたものであり、例えば、基板回収動作の高速化および安全性の点で有利な基板搬送方法または基板搬送装置を提供することを目的とする。
【課題を解決するための手段】
【０００６】
上記課題を解決するために、本発明の一つの側面は、保持面上に基板を保持して移動する移動手段から、基板を保持する保持部を有し基板を回収する回収手段まで、基板を搬送する基板搬送方法であって、保持面上に基板を保持した移動手段を移動させている状態で基板の保持を解除する第１工程と、移動手段を減速または停止させることによって移動手段による保持が解除された基板を保持面上で移動させる第２工程と、保持面上を移動する基板の移動方向に沿って保持部を移動させる第３工程と、基板の一部が保持面から飛び出した状態で保持部によって基板を保持させる第４工程と、を有することを特徴とする。また、本発明の別の側面は、保持面上に基板を保持して移動する移動手段と、基板を保持する保持部を有し基板を回収する回収手段と、移動手段および回収手段を制御する制御手段とを備え、移動手段から回収手段に基板を搬送する基板搬送装置であって、保持面上に基板を保持した移動手段を移動させている状態で基板の保持を解除し、移動手段を減速または停止させることによって移動手段による保持が解除された基板を保持面上で移動させ、保持面上を移動する基板の移動方向に沿って保持部を移動させ、基板の一部が保持面から飛び出した状態で保持部によって基板を保持させることを特徴とする。
【発明の効果】
【０００７】
本発明によれば、例えば、基板回収動作の高速化および安全性の点で有利な基板搬送方法または基板搬送装置を提供することができる。
【図面の簡単な説明】
【０００８】
【図１】本発明の一実施形態に係る露光装置の構成を示す図である。
【図２】本発明の一実施形態に係る基板搬送装置の構成を示す図である。
【図３】ウエハステージ等の速度プロファイル等を示すグラフである。
【図４】図３に記載の各区間における各位置関係を示す図である。
【図５】ウエハを回収するときの基板搬送装置の状態を示す図である。
【図６】ウエハを供給するときの基板搬送装置の状態を示す図である。
【発明を実施するための形態】
【０００９】
以下、本発明を実施するための形態について図面などを参照して説明する。
【００１０】
まず、本発明の一実施形態に係る基板搬送装置と、この基板搬送装置を備え得るリソグラフィー装置の構成について説明する。本実施形態に係る基板搬送装置（基板搬送方法）は、例えば、半導体デバイスや液晶表示デバイスなどの製造工程におけるリソグラフィー工程で用いられるリソグラフィー装置に採用されるものであり、被処理基板を保持して搬送可能である。以下、一例として、本実施形態に係る基板搬送装置は、半導体デバイスの製造工程におけるリソグラフィー工程で用いられる露光装置に採用されるものとする。
【００１１】
図１は、本実施形態に係る露光装置１００の構成を示す概略図である。露光装置１００は、例えば、ステップ・アンド・リピート方式にて、レチクルＲに形成されているパターンの像をウエハＷ上（基板上）に露光（転写）する投影型露光装置である。なお、図１では、投影光学系１１１の光軸に平行にＺ軸を取り、Ｚ軸に垂直な同一平面内で露光時のウエハＷの走査方向（レチクルＲとウエハＷとの相対的な移動方向）にＹ軸を取り、Ｙ軸に直交する非走査方向にＸ軸を取っている。露光装置１００は、照明系１０１と、レチクルステージ１１０と、投影光学系１１１と、ウエハステージ１０４と、ウエハ回収ハンド３０１と、ウエハ供給ハンド４０１と、速度計測器５０１と、制御部１０６とを備える。
【００１２】
照明系１０１は、不図示の光源から放出された光を調整してレチクルＲを照明する。レチクルＲは、ウエハＷ上に転写されるべきパターン（例えば回路パターン）が形成されている、例えば石英ガラス製の原版である。レチクルステージ１１０は、レチクルＲを保持して、Ｘ軸およびＹ軸の各方向に移動可能である。投影光学系１１１は、レチクルＲを通過した光を所定の倍率（例えば１／２倍）でウエハＷ上に投影する。ウエハＷは、表面上にレジスト（感光剤）が塗布されている、例えば単結晶シリコンからなる基板である。
【００１３】
図２は、露光装置１００の構成要素のうち、本実施形態に係る基板搬送装置の構成要素を投影光学系１１１側から見た概略平面図である。本実施形態に係る基板搬送装置は、ウエハステージ１０４と、ウエハ回収ハンド３０１と、ウエハ供給ハンド４０１と、速度計測器５０１と、制御部１０６とを含む。ウエハステージ（移動手段）１０４は、チャック１０５と、移動規制部材１０７とを含み、チャック１０５を介してウエハＷを保持し、少なくともＸ軸およびＹ軸の各方向に移動可能である。チャック（保持手段）１０５は、例えば真空吸着によりウエハＷを保持可能である。チャック１０５は、不図示であるが、ウエハＷと接触する保持面に、外部の真空排気装置に連通した微細な開口を複数有する吸着領域を有する。チャック１０５は、この吸着領域を負圧状態にすることで、ウエハＷを吸着保持可能であり、一方、この吸着領域を正圧状態にすることで、ウエハＷを気体浮上させることが可能である。なお、ウエハＷを気体浮上させない場合には、吸着領域を大気圧にすればよい。ここで、「正圧」、「負圧」の基準圧は搬送空間の圧力であり、本実施形態では大気圧である。
【００１４】
移動規制部材１０７は、ウエハステージ１０４上に設置される平板部材であり、ウエハステージ１０４内部の駆動部（不図示）の駆動部に連結されたシャフト１０７ａ（図５（ｂ）参照）の駆動により、１軸方向（Ｚ軸方向）に移動可能である。また、移動規制部材１０７は、図１に示すように、ＸＹ平面において、ある方向に対して開放され、一部がチャック１０５の外周を収容し得る内径を持った切り欠き部を有する。移動規制部材１０７は、切り欠き部の存在により、チャック１０５上を移動するウエハＷのＸＹ平面内での移動を規制する。なお、移動規制部材１０７は、ウエハＷがＸＹ平面内でチャック上を移動するときに、誤って所定の停止位置を超えて移動してしまうことを回避するための安全対策として設置されるものである。すなわち、移動規制部材１０７は、通常の回収または供給動作において、毎回ウエハＷを衝突させてウエハＷを停止させるためのものではない。さらに、移動規制部材１０７の厚さ（Ｚ軸方向の高さ）は、チャック１０５の厚さよりもわずかに薄い。したがって、ウエハＷに対して露光が行われている間は、移動規制部材１０７は、その上面がチャック１０５の吸着面よりもわずかに低く、かつ、その下面がウエハステージ１０４の上面とほぼ接するように位置する。
【００１５】
ウエハ回収ハンド（回収手段）３０１は、ウエハＷを吸着保持し、２軸方向（Ｙ軸およびＺ軸の各方向）に移動可能であり、ウエハステージ１０４上にあるウエハＷを回収し、回収側の受け渡しステーション６０１へ引き渡す。ウエハ回収ハンド３０１は、保持部３０２と、移動規制部材３０３とを有する。保持部３０２は、ウエハＷと接触する保持面に、外部の真空排気装置に連通した微細な開口を複数有する吸着領域を有する。保持部３０２は、この吸着領域を負圧状態にすることで、ウエハＷを吸着保持可能であり、一方、この吸着領域を大気圧状態または正圧状態にすることで、ウエハＷの吸着を解除することが可能である。移動規制部材３０３は、その形状により、保持部３０２上（保持部上）を移動する（滑る）ウエハＷのＸＹ平面内での移動を規制するものであり、ウエハステージ１０４上に設置されている移動規制部材１０７と同様に、安全対策として設置されるものである。移動規制部材３０３の形状は、種々のものが考えられるが、例えば、ウエハＷの回収の際に、保持部３０２上で、ウエハＷのＹ軸方向マイナス側への移動を規制可能とする形状であればよい。なお、移動規制部材３０３は、ウエハ回収ハンド３０１と一体となる構造物としてもよいし、ウエハ回収ハンド３０１とは別体であり、締結部材等により取り付けられる（組み合わせられる）ものであってもよい。
【００１６】
ウエハ供給ハンド（供給手段）４０１は、ウエハＷを吸着保持し、２軸方向（Ｙ軸およびＺ軸の各方向）に移動可能であり、供給側の受け渡しステーション６０２からウエハＷを受け取り、ウエハステージ１０４へ供給する。ウエハ供給ハンド４０１は、ウエハ回収ハンド３０１と比較して、保持面４０２を有することは同様であるが、移動規制部材３０３のような部材を有する必要はない。
【００１７】
速度計測器（計測手段）５０１は、露光装置１００内の不図示の支持体に支持され、ウエハステージ１０４からウエハ回収ハンド３０１まで搬送されているウエハＷの移動速度を、ウエハＷの表面に対向する側から計測する。速度計測器５０１としては、例えば、ウエハＷの外周縁を検出可能な複数の光学式センサーとし得る。ここで、ウエハステージ１０４からウエハ回収ハンド３０１までウエハＷを搬送する方向、また、ウエハ回収ハンド３０１が受け渡しステーション６０１までウエハＷを搬送する方向が、それぞれ、図１に示すようにＹ軸方向であると想定する。なお、この方向は、ウエハＷの引き渡しの際にウエハＷがチャック１０５の保持面上を滑る方向と一致する。この場合、複数の光学式センサーは、Ｙ軸方向に、かつ等間隔に並ぶように配置されることが望ましい（図４参照）。後述する制御部１０６は、ウエハＷの移動中、各光学式センサーにウエハＷを検出させ、各光学式センサー間をウエハＷの外周縁が通過した時間を計測して、その時間からウエハＷの移動速度を求め得る。
【００１８】
制御部１０６は、例えばコンピューターなどで構成され、露光装置１００の各構成要素に回線を介して接続されて、プログラムなどに従って各構成要素の動作を統括し得る。特に本実施形態では、制御部１０６は、基板搬送装置の各構成要素、すなわちウエハステージ１０４（チャック１０５の吸着状態の切り換えや移動規制部材１０７の動作を含む）、ウエハ回収ハンド３０１およびウエハ供給ハンド４０１の各動作を制御し得る。なお、制御部１０６は、露光装置１００の他の部分と一体で（共通の筐体内に）構成してもよいし、露光装置１００の他の部分とは別体で（別の筐体内に）構成してもよい。また、本実施形態では、基板搬送装置の制御を露光装置１００全体を統括する制御部１０６が実行するものとしているが、基板搬送装置の制御を実行する制御部（制御手段）を、制御部１０６とは別体で構成してもよい。この場合、基板搬送装置用の制御部は、制御部１０６に回線を介して接続され、制御部１０６からの動作指示に基づいて、基板搬送装置の制御を実行する。
【００１９】
次に、本実施形態に係る基板搬送方法として、基板搬送装置におけるウエハＷの回収動作（回収工程）について説明する。図３は、ウエハＷの回収動作の開始から終了までの速度プロファイルと、その時間軸に対応したチャック１０５とウエハＷとの相対位置とを示すグラフである。このうち、図３（ａ）は、ウエハステージ１０４に関する速度プロファイルを示す。図３（ｂ）は、ウエハ回収ハンド３０１に関する速度プロファイルを示す。図３（ｃ）は、チャック１０５とウエハＷとの相対位置を示す。なお、図３（ｃ）では、ウエハＷがウエハステージ１０４へ供給されて、チャック１０５で吸着保持された位置を基準位置（ゼロ）としている。図４は、図３に示す各区間Ｓ１〜Ｓ５のそれぞれにおけるウエハＷ、ウエハステージ１０４、ウエハ回収ハンド３０１およびチャック１０５の位置を示す概略側面図である。図５は、区間Ｓ２におけるウエハＷ、ウエハステージ１０４、ウエハ回収ハンド３０１およびチャック１０５の位置を示す概略図である。このうち、図５（ａ）は、平面図であり、図５（ｂ）は、図５（ａ）内のＡ−Ａ’断面図である。また、図６は、図５の表記に準じた、区間Ｓ５におけるウエハステージ１０４、ウエハ供給ハンド４０１およびチャック１０５の位置を示す概略図である。このうち、図６（ａ）は、平面図であり、図６（ｂ）は、図６（ａ）内のＢ−Ｂ’断面図である。
【００２０】
回収動作の前準備として、あるウエハＷに対する露光が終了すると、制御部１０６は、ウエハステージ１０４を、図２に示すウエハＷを回収する動作を開始する位置Ｐ１（ウエハステージ１０４の回収動作開始位置）まで移動させる。このとき、チャック１０５は、ウエハＷを保持している状態であり、吸着領域の圧力は、負圧である。また、制御部１０６は、ウエハステージ１０４上の移動規制部材１０７を、ウエハステージ１０４が位置Ｐ１までの移動している間に、チャック１０５に保持されたウエハＷの上面よりもわずかに高い位置まで移動させる。さらに、制御部１０６は、ウエハ回収ハンド３０１を、図２に示すウエハＷを回収する動作を開始する位置Ｐ２（回収ハンド３０１の回収動作開始位置）に移動させる。そして、制御部１０６は、位置Ｐ１までのウエハステージ１０４の移動が終了すると、ウエハＷの一連の回収動作を開始する。一連の回収動作では、制御部１０６は、区間Ｓ１〜Ｓ５ごとに、順次、以下のようにウエハステージ１０４およびウエハ回収ハンド３０１の動作を制御する。
【００２１】
まず、区間Ｓ１における動作について説明する。ウエハステージ１０４は、図４（ａ）に示すように、位置Ｐ２で停止しているウエハ回収ハンド３０１へ向かって（Ｙ軸方向マイナス側に）加速させる。一方、制御部１０６は、ウエハ回収ハンド３０１を、ウエハ回収ハンド３０１の保持部３０２とチャック１０５の吸着面とがほぼ同じ位置（Ｚ軸方向の高さ）で停止させておく。そして、制御部１０６は、加速しているウエハステージ１０４の速度が規定の速度Ｖｓに達したら、ウエハステージ１０４の速度を一定速度Ｖｓに制御する。また、ウエハステージ１０４の速度がＶｓに達したら、制御部１０６は、チャック１０５の吸着領域の圧力を負圧から正圧へと変更させる。吸着領域が正圧状態となることで、チャック１０５上のウエハＷは、保持状態から解除されて、気体浮上した状態となる。このとき、ウエハステージ１０４は、一定速度Ｖｓで移動し続けているため、チャック１０５上で気体浮上しているウエハＷは、チャック１０５上を相対的に移動しない。
【００２２】
次に、区間Ｓ２における動作について説明する。ウエハＷが気体浮上した後、制御部１０６は、ウエハステージ１０４を、ウエハ回収ハンド３０１との距離Ｌの位置で停止（または減速）させる。ここで、ウエハステージ１０４が停止すると、チャック１０５上で気体浮上しているウエハＷは、ウエハステージ１０４の速度Ｖｓで、ウエハ回収ハンド３０１へ向かって（Ｙ軸方向マイナス側に）チャック１０５上を滑りながら移動する。その結果、ウエハＷは、図４（ｂ）に示すように、ＸＹ平面内でチャック１０５から距離Ｄ１だけ一部飛び出した状態になる。さらに、制御部１０６は、速度計測器５０１を用いて、浮上して移動を開始したウエハＷの移動速度を求める。
【００２３】
次に、区間Ｓ３における動作について説明する。ウエハＷがチャック１０５から距離Ｄ１飛び出した後（飛び出したことに応じて）、制御部１０６は、停止させていたウエハステージ１０４およびウエハ回収ハンド３０１を、同時にかつ同じ加速度で、チャック１０５上を移動しているウエハＷと同方向へ移動させる。さらに同時に、制御部１０６は、ウエハＷの下面を保持部３０２で吸着保持するために、図５（ｂ）に示すように、ウエハ回収ハンド３０１を、ウエハＷの下面と保持部３０２とがほぼ接触する位置まで移動させる。ここで、制御部１０６は、区間Ｓ３におけるウエハステージ１０４およびウエハ回収ハンド３０１の各到達速度を、速度計測器５０１を用いて求められた計測結果である、チャック１０５上を移動するウエハＷの移動速度Ｖｓとほぼ等しくなるように設定する。図４（ｃ）は、区間Ｓ３においてウエハステージ１０４およびウエハ回収ハンド３０１が速度Ｖｓに到達した状態を示し、このときのチャック１０５とウエハＷとの間の距離はＤ２である。
【００２４】
次に、区間Ｓ４における動作について説明する。ウエハＷと同方向への移動について、ウエハステージ１０４およびウエハ回収ハンド３０１の移動速度がＶｓに到達したとき（Ｖｓに実質的に等しくなったとき）、制御部１０６は、ウエハ回収ハンド３０１の保持部３０２にウエハＷを吸着保持させる。図５（ｃ）は、このように、ウエハ回収ハンド３０１は、ウエハＷを保持するに際し、ＸＹ平面内でウエハＷと相対的に移動することなく吸着を行うので、ウエハＷと衝突したり擦れたりすることが発生しづらい。結果的に、回収工程におけるウエハＷの損傷の発生を極力抑えることができる。
【００２５】
次に、区間Ｓ５における動作について説明する。制御部１０６は、ウエハ回収ハンド３０１にてウエハＷを正常に吸着保持できたことを確認した後、ウエハステージ１０４を停止させる。一方、制御部１０６は、ウエハ回収ハンド３０１をそのまま移動させ、回収側の受け渡しステーション６０１にウエハＷを載置可能な位置で停止させる。なお、ウエハ回収ハンド３０１がウエハＷを吸着保持した後は、ウエハＷへの損傷は発生し得ない。したがって、ウエハ回収ハンド３０１の移動速度は、速度Ｖｓを維持する必要はないので、本実施形態では、回収動作時間をより短縮させるために、吸着保持後のウエハ回収ハンド３０１の移動速度を速度Ｖｈ（第２の速度Ｖｈ＞第１の速度Ｖｓ）まで上げている。
【００２６】
一方、制御部１０６は、区間Ｓ５で一旦停止したウエハステージ１０４を、次の処理対象となる新たなウエハＷを受け取らせるために、図６に示すウエハＷを供給する動作を開始する位置Ｐ３（供給開始位置）まで移動させる。ここで、ウエハステージ１０４の位置Ｐ３へ移動を開始させるタイミングは、ウエハＷの移動中で、チャック１０５との位置関係において干渉しない位置になるまでウエハ回収ハンド３０１により移動された後である。なお、図３（ｃ）で見ると、上記干渉しない位置は、チャック１０５との間の距離がＤ３となる位置である。また、制御部１０６は、ウエハステージ１０４上の移動規制部材１０７を、ウエハＷの供給の際に干渉しないよう、ウエハステージ１０４とほぼ接する位置まで移動させる。ここで、移動規制部材１０７の移動は、ウエハＷの供給時間をより短縮するために、ウエハステージ１０４が供給開始位置へ移動する間に実施されることが望ましい。
【００２７】
このように、本実施形態に係る基板搬送装置（基板搬送方法）では、ウエハ回収ハンド３０１がチャック上にあるウエハＷを回収する際に、上記のように、気体浮上した状態で移動しているウエハＷを受け取る。すなわち、ウエハＷの回収動作の高速化のためにウエハＷを気体浮上させて移動させる場合であっても、従来のようにウエハＷをハンドに設けられた柵に衝突させて強制的に停止させない。したがって、本実施形態に係る基板搬送装置は、強制停止の衝撃によるウエハＷの破損を回避（緩和）させることができる。また、ウエハ回収ハンド３０１は、その保持面上にウエハＷが達したら、ウエハＷの移動方向に対して垂直方向（Ｚ軸方向）に移動してウエハＷを吸着保持する。したがって、本実施形態に係る基板搬送装置は、ウエハＷの裏面とウエハ回収ハンド３０１の保持面とが擦れ、ウエハＷの裏面が損傷することも可能な限り回避させることができる。
【００２８】
以上のように、本実施形態によれば、基板回収動作の高速化および安全性の点で有利な基板搬送方法および基板搬送装置を提供することができる。また、本実施形態に係る基板搬送方法および基板搬送装置を用いたリソグラフィー装置によれば、スループットおよび歩留まりを向上させることができる。
【００２９】
なお、上記説明では、リソグラフィー装置として露光装置を例示したが、リソグラフィー装置は、それに限らない。リソグラフィー装置は、例えば、電子線のような荷電粒子線で基板（上の感光剤）に描画を行う描画装置であってもよく、または基板上のインプリント材を型（モールド）で成形（成型）して基板上にパターンを形成するインプリント装置等であってもよい。
【００３０】
（物品の製造方法）
一実施形態に係る物品の製造方法は、例えば、半導体デバイスなどのマイクロデバイスや微細構造を有する素子などの物品を製造するのに好適である。該製造方法は、物体（例えば、感光剤を表面に有する基板）上に上記のリソグラフィー装置を用いてパターン（例えば潜像パターン）を形成する工程と、該工程でパターンを形成された物体を処理する工程（例えば、現像工程）とを含み得る。さらに、該製造方法は、他の周知の工程（酸化、成膜、蒸着、ドーピング、平坦化、エッチング、レジスト剥離、ダイシング、ボンディング、パッケージングなど）を含み得る。本実施形態の物品の製造方法は、従来の方法に比べて、物品の性能・品質・生産性・生産コストの少なくとも１つにおいて有利である。
【００３１】
以上、本発明の好ましい実施形態について説明したが、本発明は、これらの実施形態に限定されず、その要旨の範囲内で種々の変形または変更が可能である。
【符号の説明】
【００３２】
１０４  ウエハステージ
１０５  チャック
１０６  制御部
１０７  移動規制部材
３０１  ウエハ回収ハンド
３０２  保持部
３０３  移動規制部材
５０１  速度計測器
【図１】
0006456114.tif 000002
【図２】
0006456114.tif 000003
【図３】
0006456114.tif 000004
【図４】
0006456114.tif 000005
【図５】
0006456114.tif 000006
【図６】
0006456114.tif 000007